(57)【特許請求の範囲】
【請求項１】
横並びの多数のコンタクトを保持する絶縁性のベースハウジングと、
このベースハウジングに対して相対回動することによりベースハウジングとの間に開放空間を形成する絶縁性のカバーハウジングと、
各ハウジングをそれぞれ覆い両ハウジングの閉じ状態で互いに接続される導電性のシェルと、
多極の同軸ケーブルの端部を保持した状態で開放状態のカバーハウジングの収容部に取り外し可能に挿入される端部を含み、この端部が閉じ状態の両ハウジング間に挟持されるケーブルアセンブリとを備え、
両ハウジングの閉じ状態で、各同軸ケーブルの中心導体がベースハウジングに保持されたコンタクトに直接又は間接的に接続され、各同軸ケーブルの外部導体が少なくとも一方のシェルに直接又は間接的に接続され、
上記ケーブルアセンブリの端部は、横並びの多数の同軸ケーブルの外部導体を一括して接続する導電性のグランド板を含み、
カバーハウジングの閉じ状態で、グランド板よりも同軸ケーブルの先端側で露出する中心導体が対応する相手方のコンタクトに押圧接触されると共に、グランド板がベースハウジングおよびカバーハウジングの何れか一方のシェルに押圧接触され、
上記ケーブルアセンブリの端部は、カバーハウジングの先端から基端に向けて形成された挿入孔に中心導体側から挿入され、挿入された状態で、ケーブルアセンブリの各中心導体およびグランド板がカバーハウジングの内面に露出することを特徴とする多極同軸コネクタ。
【請求項２】
横並びの多数のコンタクトを保持する絶縁性のベースハウジングと、
このベースハウジングに対して相対回動することによりベースハウジングとの間に開放空間を形成する絶縁性のカバーハウジングと、
各ハウジングをそれぞれ覆い両ハウジングの閉じ状態で互いに接続される導電性のシェルと、
多極の同軸ケーブルの端部を保持した状態で開放状態のカバーハウジングの収容部に取り外し可能に挿入される端部を含み、この端部が閉じ状態の両ハウジング間に挟持されるケーブルアセンブリとを備え、
両ハウジングの閉じ状態で、各同軸ケーブルの中心導体がベースハウジングに保持されたコンタクトに直接又は間接的に接続され、各同軸ケーブルの外部導体が少なくとも一方のシェルに直接又は間接的に接続され、
上記ケーブルアセンブリの端部は、横並びの多数の同軸ケーブルの外部導体を一括して接続する導電性のグランド板を含み、
カバーハウジングの閉じ状態で、グランド板よりも同軸ケーブルの先端側で露出する中心導体が対応する相手方のコンタクトに押圧接触されると共に、グランド板がベースハウジングおよびカバーハウジングの何れか一方のシェルに押圧接触され、
上記ケーブルアセンブリの端部は、開放状態のカバーハウジングの内面に形成された凹部に内面側から収容され、
上記開放状態のカバーハウジングにケーブルアセンブリの端部を保持する保持手段をさらに備え、
上記カバーハウジングは同軸ケーブルの中心導体をそれぞれ保持する保持溝を有し、各中心導体は対応する保持溝の底部にそれぞれ独立して形成される金属被膜にはんだ付けされており、上記保持手段は上記金属被膜を含むことを特徴とする多極同軸コネクタ。
【発明の詳細な説明】
【０００１】
【発明の属する技術分野】
本発明は、例えば液晶パネルと基板とをケーブルを介して接続するのに用いられる多極同軸コネクタである。
【０００２】
【従来の技術】
近年、ノートパソコンでは液晶パネルが大型化し、これに伴って、液晶パネルと基板とをケーブルを介して接続するコネクタが多極化している。また、液晶パネルの大型化に伴う高解像度の要請により、液晶パネルや周辺部品の動作周波数が高くなってきており、このため、他の機器への電磁障害（ＥＭＩ：electromagnetic interference) の問題が顕在化してきている。
【０００３】
このような問題を解決するため、同軸ケーブルを用いることが考えられる。例えば、図３０に示すコネクタでは、テープ状をなすフラット同軸ケーブル２０１をケーブルホルダ２０２に装着し、外部導体（シールド線）をグランドバー２０３にはんだ付けすると共に、中心導体２０４をＵ字に曲げる。次いでケーブルホルダ２０２をシェル２０７付きのプラグ２０５に挿入する。この時、中心導体２０４がプラグ２０５の図示しないコンタクトのばね部に挟み込まれ、同軸ケーブル２０１の中心導体２０４とプラグ２０５のコンタクトが接続される。このようにしてケーブルホルダ２０２が挿入されたプラグ２０５を、図示しない基板に固定されたシェル２０８付きのリセプタクル２０６と嵌合させることにより、電気的接続を可能とするものである。
【０００４】
ところで、液晶パネルが比較的早く寿命に達する場合もあり、このような場合、基板にフラット同軸ケーブル２０１を介して接続されたプラグはそのまま流用する一方、液晶パネルをこれに固定されているリセプタクル２０６とともに一括して交換することになる。
【０００５】
【発明が解決しようとする課題】
上記のコネクタでは、ケーブルホルダ２０２と、プラグ２０５と、リセプタクル２０６という３つの主たる部品が必要なので、部品点数が多く、部品コストおよび組立コストを含めて製造コストが高い。
さらに、この種のコネクタでは、コンタクト間の接触圧の緩みは信号伝達の不良につながるので、コネクタの連結状態をロックするロック機構が必要であるが、シェルやハウジングの内部で係合するタイプ（いわゆるインナーロックタイプ）のロック機構では、例えば部品交換時等にロックを外し難いという問題がある。
【０００６】
本発明は上記課題に鑑みてなされたものであり、本発明の目的は、簡単な構成にて組立が簡単で製造コストを安くすることができる多極同軸コネクタを提供することである。
【００１１】
【課題を解決するための手段】
上記目的を達成するため、請求項１記載の発明の態様は、横並びの多数のコンタクトを保持する絶縁性のベースハウジングと、このベースハウジングに対して相対回動することによりベースハウジングとの間に開放空間を形成する絶縁性のカバーハウジングと、各ハウジングをそれぞれ覆い両ハウジングの閉じ状態で互いに接続される導電性のシェルと、多極の同軸ケーブルの端部を保持した状態で開放状態のカバーハウジングの収容部に取り外し可能に挿入される端部を含み、この端部が閉じ状態の両ハウジング間に挟持されるケーブルアセンブリとを備え、両ハウジングの閉じ状態で、各同軸ケーブルの中心導体がベースハウジングに保持されたコンタクトに直接又は間接的に接続され、各同軸ケーブルの外部導体が少なくとも一方のシェルに直接又は間接的に接続され、上記ケーブルアセンブリの端部は、横並びの多数の同軸ケーブルの外部導体を一括して接続する導電性のグランド板を含み、カバーハウジングの閉じ状態で、グランド板よりも同軸ケーブルの先端側で露出する中心導体が対応する相手方のコンタクトに押圧接触されると共に、グランド板がベースハウジングおよびカバーハウジングの何れか一方のシェルに押圧接触され、上記ケーブルアセンブリの端部は、カバーハウジングの先端から基端に向けて形成された挿入孔に中心導体側から挿入され、挿入された状態で、ケーブルアセンブリの各中心導体およびグランド板がカバーハウジングの内面に露出することを特徴とするものである。
【００１２】
本態様では、開放状態のカバーハウジングの収容部にケーブルアセンブリを挿入して保持した後、カバーハウジングを閉じると、同軸ケーブルの中心導体がベースハウジングのコンタクトに接続されると共に、グランド板が何れか一方のハウジングのシェルに接続される。カバーハウジングは開放姿勢に回動するものであっても良いし、ベースハウジングから取り外し可能なものであっても良い。
【００１３】
従来技術で示したようなプラグにあたる部品の構成を省略したので、部品点数が少なく、部品コスト、組立コストの低減を通じて製造コストを安くすることができる。また、開放状態のカバーハウジングにケーブルアセンブリを装着する際に、両ハウジング間で挟持力を働かせない状態でケーブルアセンブリを装着するので、装着力が軽くて装着が非常にスムーズに行えると共に、中心導体等が装着動作時に損傷したりすることがない。
【００１４】
また、上記ケーブルアセンブリの端部は、横並びの多数の同軸ケーブルの外部導体を一括して接続する導電性のグランド板を含み、カバーハウジングの閉じ状態で、グランド板よりも同軸ケーブルの先端側で露出する中心導体が対応する相手方のコンタクトに押圧接触されると共に、グランド板がベースハウジングおよびカバーハウジングの何れか一方のシェルに押圧接触されるので、下記の利点がある。
【００１５】
すなわち、ケーブルアセンブリを装着したカバーハウジングを閉じると、中心導体がベースハウジングのコンタクトに押圧されて接続されると共に、グランド板が何れか一方のハウジングのシェルに押圧されて接続される。ベースハウジング側からの押圧力を受けない状態でケーブルアセンブリの端部を装着するので、装着時に、中心導体やグランド板が損傷しない。
また、上記ケーブルアセンブリの端部は、カバーハウジングの先端から基端に向けて形成された挿入孔に中心導体側から挿入され、挿入された状態で、ケーブルアセンブリの各中心導体およびグランド板がカバーハウジングの内面に露出するので、下記の利点がある。すなわち、開放されたカバーハウジングの挿入孔にケーブルアセンブリを挿入することにより、ケーブルアセンブリを容易に装着することができる。
【００１６】
上記目的を達成するため、請求項２記載の発明の態様は、横並びの多数のコンタクトを保持する絶縁性のベースハウジングと、このベースハウジングに対して相対回動することによりベースハウジングとの間に開放空間を形成する絶縁性のカバーハウジングと、各ハウジングをそれぞれ覆い両ハウジングの閉じ状態で互いに接続される導電性のシェルと、多極の同軸ケーブルの端部を保持した状態で開放状態のカバーハウジングの収容部に取り外し可能に挿入される端部を含み、この端部が閉じ状態の両ハウジング間に挟持されるケーブルアセンブリとを備え、両ハウジングの閉じ状態で、各同軸ケーブルの中心導体がベースハウジングに保持されたコンタクトに直接又は間接的に接続され、各同軸ケーブルの外部導体が少なくとも一方のシェルに直接又は間接的に接続され、カバーハウジングの閉じ状態で、グランド板よりも同軸ケーブルの先端側で露出する中心導体が対応する相手方のコンタクトに押圧接触されると共に、グランド板がベースハウジングおよびカバーハウジングの何れか一方のシェルに押圧接触され、上記ケーブルアセンブリの端部は、開放状態のカバーハウジングの内面に形成された凹部に内面側から収容され、上記開放状態のカバーハウジングにケーブルアセンブリの端部を保持する保持手段をさらに備え、上記カバーハウジングは同軸ケーブルの中心導体をそれぞれ保持する保持溝を有し、各中心導体は対応する保持溝の底部にそれぞれ独立して形成される金属被膜にはんだ付けされており、上記保持手段は上記金属被膜を含むことを特徴とするものである。
本態様では、開放状態のカバーハウジングの収容部にケーブルアセンブリを挿入して保持した後、カバーハウジングを閉じると、同軸ケーブルの中心導体がベースハウジングのコンタクトに接続されると共に、グランド板が何れか一方のハウジングのシェルに接続される。カバーハウジングは開放姿勢に回動するものであっても良いし、ベースハウジングから取り外し可能なものであっても良い。従来技術で示したようなプラグにあたる部品の構成を省略したので、部品点数が少なく、部品コスト、組立コストの低減を通じて製造コストを安くすることができる。また、開放状態のカバーハウジングにケーブルアセンブリを装着する際に、両ハウジング間で挟持力を働かせない状態でケーブルアセンブリを装着するので、装着力が軽くて装着が非常にスムーズに行えると共に、中心導体等が装着動作時に損傷したりすることがない。
また、ケーブルアセンブリを装着したカバーハウジングを閉じると、中心導体がベースハウジングのコンタクトに押圧されて接続されると共に、グランド板が何れか一方のハウジングのシェルに押圧されて接続される。ベースハウジング側からの押圧力を受けない状態でケーブルアセンブリの端部を装着するので、装着時に、中心導体やグランド板が損傷しない。
また、開放されたカバーハウジングの内面の凹部にケーブルアセンブリを嵌め込むことにより、ケーブルアセンブリを容易に装着することができる。
【００１９】
また、本コネクタの製造時において、カバーハウジングが開放された仕掛かり状態で、例えば中心導体が正規の位置からずれたりすることを抑制できる。その結果、信頼性の高いコネクタを実現することができる。
また、上記カバーハウジングは、同軸ケーブルの中心導体をそれぞれ保持する保持溝を有し、各中心導体は対応する保持溝の底部にそれぞれ独立して形成される金属被膜にはんだ付けされており、上記保持手段は上記金属被膜を含むので、下記の利点がある。
【００２０】
すなわち、同軸ケーブルの各中心導体が対応する保持溝の内面の金属被膜にはんだ付けされているので、本コネクタの製造時において、カバーハウジングが開放された仕掛かり状態で、中心導体が保持溝からずれたりすることがない。その結果、信頼性の高いコネクタを実現することができる。保持溝の底部に金属被膜を形成する手法としては、例えばＭＩＤ（Molded Interconnection Device ）の形成手法がある。
【００２１】
ここで、上述したＭＩＤ技術には、露光法やレーザ法等のワンショット法の他、ツーショット法がある。例えば露光法では、カバーハウジングを射出成形した後、メッキ不要箇所にマスキングを施し、露光処理することでメッキが付かない部分を作り、このメッキがつかない部分を除いてメッキ工程でメッキ膜からなる金属被膜を生成する。レーザ法は露光法においてレーザ光を用いて露光する手法であり、多極同軸コネクタにおいて、上記の保持溝の底部等、配置ピッチの細かい微細な部分を寸法精度良く露光する場合に好適に用いることができる。
【００２２】
また、ツーショット法では、例えばインサートによる２色成形の要領で異なる２種類の樹脂を一体成形するが、まず、２色成形の絵柄に相当する部分（表面に金属被膜を形成するための部分）を、ＭＩＤのメッキを付けることの可能な樹脂により成形する（一次成形）。次いで、二次成形で残りの部分をＭＩＤのメッキが付かない樹脂により成形した後、メッキ処理を行い、一次成形された部分の表面に金属被膜を析出させて、金属被膜を含む一体構造を得る。
【００２７】
【発明の実施の形態】
本発明の好ましい実施の形態を添付図面を参照しつつ説明する。
図１は本発明の第１の実施の形態の多極同軸コネクタの要部の分解断面図であり、図２は組立断面図である。図１および図２を参照して、基板１の表面１ａに実装されるベースハウジング２と、このベースハウジング２に回動開閉自在に設けられ、ベースハウジング２との間に開放空間３を形成可能なカバーハウジング４と、横並びの多数の同軸ケーブル５を含むケーブルアセンブリ６とを備えている。
【００２８】
ケーブルアセンブリ６は、同軸ケーブル５の端部を一括して保持し且つ両ハウジング２，４間に形成される開放空間３へ挿脱される絶縁性の板材７を有している。同軸ケーブル５の先端から、露出する中心導体８、この中心導体８の被覆部９、および露出する外部導体１０がこの順で配置されている。
図１、図２、並びにケーブルアセンブリ６の平面図及び側面図である図３（ａ）及び（ｂ）を参照して、板材７の第１の板面７ａには、各同軸ケーブル５の中心導体８をそれぞれ接続して横並びの列状に配置された第１の導電性部材１１が形成されている。また、板材７の第１の板面７ａには、第１の導電性部材１１と距離を隔てて矩形状をなし、各外部導体１０を一括して接続する第２の導電性部材１２の第１の部分１３が配置されている。この第２の導電性部材１２の第１の部分１３は、板材７を貫通するスルーホール１４内の導電性部材を介して、板材７の第２の面７ｂの略全域に形成された第２の導電性部材１２の第２の部分１５に接続されている。
【００２９】
上記のスルーホール１４は矩形状をなす第２の導電性部材１２の第１の部分１３の一部に連なるように、例えば１カ所或いは複数箇所に設けておけば良い。
第１および第２の導電性部材１１，１２は、プリント配線板上に回路を形成する場合と同様の手法で、板材７の第１および第２の板面７ａ，７ｂに印刷によりパターン形成されている。各第１の導電性部材１１と対応する中心導体８との接続や、第２の導電性部材１２の第１の部分１３と各外部導体１０との接続は、はんだ付けにより行われている。例えば各第１の導電性部材１１の表面に予めペーストはんだをスクリーン印刷と同様の原理で塗布しておき、次いで、各同軸ケーブル５の中心導体８を各ペーストはんだの上に載置した後、ペーストはんだをリフロー処理してはんだ付けが行われる。
【００３０】
図１および図２参照して、ベースハウジング２は絶縁性部材からなり、ケーブルアセンブリ６の第１の導電性部材１１と接続される横並びの多数のコンタクト１６を保持している。コンタクト１６間のピッチＰ［図４（ｂ）を参照］は例えば０．４〜０．５ｍｍである。コンタクト１６は、固定片部１７と弾性片部１８によりフォーク状をなしており、コンタクト１６の後端部には、基板１の表面１ａの導電性部材（図示せず）にはんだ付けにより接続されるＬ字形形状のリード部１９が形成されている。固定片部１７は楔状突起を有していて、ベースハウジング２の固定孔２ａ内に挿入されて固定されている。また、弾性片部１８は、ベースハウジング２の内下面２ｂに櫛歯状に形成されたガイド溝２０に収容されて保持されている。弾性片部１８の先端はカバーハウジング４側に突出する山形突起２１を有している。山形突起２１の頂部が、ケーブルアセンブリ６の第１の導電性部材１１を弾力的に押圧して接触する接触部を構成している。
【００３１】
図１、図２並びに図４（ａ）及び（ｂ）を参照して、ベースハウジング２の上面および両側面は例えば板金成形された例えば銅合金等の金属製のシェル２２により覆われている。シェル２２は両側前方に平行に延びる一対の補強部２３を有しており、これらの補強部２３は、下向きに開いたチャンネル材２４を含み、このチャンネル材２４は、ウェブ２５、内フランジ２６および外フランジ２７を有している。外フランジ２７の下縁には、基板１の表面１ａに沿う支持板２８が延設されている。また、チャンネル材２４の前端部はウェブ２５が省略されて両フランジ２６，２７が上方へ露出している。ウェブ２５が省略されている部分に対応して、内フランジ２６には、カバーハウジング４を覆う後述するシェル３４の係合突起３６を係合させるための例えば四角形形状の係合孔２９が形成されている。係合突起３６と係合孔２９とでロック手段が構成されている。また、係合突起３６と係合孔２９との係合部分を介して、両シェル２２，３４が互いに電気的に接続されるようになっている。
【００３２】
カバーハウジング４は絶縁性部材からなり、基端部においてベースハウジング２と係合することにより、回動軸線３０［図４（ａ）を参照］の回りに回動自在に支持されている。図１及び図２を参照して、カバーハウジング４の基端部の幅方向の中間部は、ベースハウジング２の内奥壁３１の下縁部３２に係合する湾曲状の段部３３を有しており、この部分も回動をガイドする役目を果たしている。
【００３３】
図１、図２並びに図４（ａ）及び（ｂ）を参照して、カバーハウジング４の上面および側面、並びに下面（内面）および前面の一部が、例えば板金成形された銅合金等の金属製のシェル３４により覆われている。このシェル３４は、カバーハウジング４の上面を覆う上板部３８と、両側面をそれぞれ覆う一対の側板部３９と、上板部３８の前縁から幅方向中間部を除いて、カバーハウジング４の前面を覆う一対の前板部４０と、各前板部４０の下縁からカバーハウジング４の下面（内面）に略平行に延びる弾性片部４０とを備えている。この弾性片部４０は、下向きに凸のなだらかな山形に形成されており、カバーハウジング４の閉じ状態で、ケーブルアセンブリ６の第２の導電性部材１２を弾力的に押圧して接触する。
【００３４】
また、図４（ａ）及び（ｂ）並びに図５を参照して、シェル３４の両側板部３９の後端からＵ字状に湾曲して前方へ延びるアーム３５が設けられており、このアーム３５の前端部には、上記ベースハウジング２のシェル２２の係合孔２９に、図６に示すように嵌まり込む係合突起３６が例えば切り起こしにより形成されている。また、各アーム３５の前端部には、ロック解除手段の一例を提供するものとして、外側方へ延びるＬ字形形状のロック解除操作部３７がそれぞれ延設されている。ユーザが指で、これらのロック解除操作部３７を両側から挟み込むように内側に向けて押すことにより、アーム３５がＵ字状に湾曲する基端部４２を支点として撓み、係合突起３６を係合孔２９から離脱させるようになっている。
【００３５】
本実施の形態では、図１に示すようにカバーハウジング４を開放した状態で、ベースハウジング２の開放部３に、図において矢印方向にケーブルアセンブリ６を挿入した後、図２に示すようにカバーハウジング４を閉じると、ケーブルアセンブリ６の第１の板面７ａに配置された第１の導電性部材１１がベースハウジング２のコンタクト１６の弾性片部１８に押圧されて接続される。これにより、各同軸ケーブル５の中心導体８が対応するコンタクト１６に接続される。また、第２の導電性部材１２がカバーハウジング４のシェル３４の弾性片部４１に押圧されて接続されることにより、各同軸ケーブル５の外部導体１０が両ハウジング２，４のシェル２２，３４に接続される。
【００３６】
また、カバーハウジング４を開放して形成される十分に広い開放部３に、両ハウジング２，４間で挟持力を働かせない状態でケーブルアセンブリ６を挿脱するので、挿脱力が軽くて挿脱が非常にスムーズに行えると共に、ケーブルアセンブリ６の各導電性部材１１，１２が挿脱時に損傷したりすることがない。
また、カバーハウジング４を閉じると同時に、両ハウジング２，４の金属製のシェル２２，３４同士が互いに直接係合して、両ハウジング２，４の連結状態がロックされるので、ロックが確実である。金属部材同士の係合によりロックを達成するので、ユーザに対して確実なロックの達成感を与えることができる。ロック手段を介して両シェル２２，３４が互いに電気的に接続されるので、両シェル２２，３４を接続する手段を別途に構成する場合と比較して、構造を簡素化できる。また、外部から操作可能なロック解除操作部３７を設けてあるので、所要時にカバーハウジング４を容易に開放して、ケーブルアセンブリ６を抜き取ることができる。
【００３７】
また、従来技術で示したようなプラグの構成を省略したので、部品点数が少なく、部品コスト、組立コストの低減を通じて製造コストを安くできる。
次いで、図７ないし図１５を参照して、本発明の第２の実施の形態の多極同軸コネクタについて説明する。本第２の実施の形態の主たる特徴は、図７に示すようにベースハウジング４８に対して相対回動されて開放されたカバーハウジング４９の内面（下面）に、ケーブルアセンブリ４３の端部を予めセットし、次いで、カバーハウジング４９を閉じて、コネクタの連結状態を達成するようにした点である。
【００３８】
また、カバーハウジング４９を閉じると、ベースハウジング４８を覆う金属製のシェル５０に外方へ突出するように切り起こされた係合突起５１が、カバーハウジング４９を覆う金属製のシェル５２に形成された鉤形のステー状の係合突起５３に係合し、シェル５０，５２同士が互いにロックされると共に、互いの導通が確保されるようにしてある。両係合突起５１，５３によりロック手段が構成されている。
【００３９】
図７において、８１，８２はシェル５２に内向きに切り押された弾性係止片である。弾性係止片８１はケーブルアセンブリ４３の後述するグランド板４４に押圧接触してこれを係止し、グランド板４４とシェル５２との電気的導通を確保するものである（図１２参照）。弾性係止片８２は、シェル５２自身をカバーハウジング４９に係止するものである。８３はカバーハウジング４９を回動自在に支持するために用いられる支持フックである。また、シェル５２に設けられた断面半円形状の舌片８４が、シェル５０に設けられた巻き胴状の受け片８５により受けられており、シェル５０，５２同士も互いの相対回動を案内する機能を果たしている。また、舌片８４と受け片８５の接触により互いの電気的導通が確保されている。
【００４０】
ケーブルアセンブリ４３の平面及び側面をそれぞれ示す図８（ａ）及び（ｂ）を参照して、ケーブルアセンブリ４３は、横並びに配置された多数の同軸ケーブル５の外部導体１０を接続しこれらを一括して保持する導電性の横板からなるグランド板４４と、各同軸ケーブル５の露出する中心導体８の先端部を一括して保持する例えば絶縁性のテープからなる保持シート４５とを備えている。グランド板４４は同軸ケーブル５の外部導体１０を挟持する一対の分割板４６，４６を組み合わせてなる。一方の分割体４６の合わせ面に形成された嵌合突起を、他方の分割体４６の合わせ面に形成された嵌合凹部に圧入することにより、互いに結合されてグランド板４４を構成している。各分割体４５の合わせ面には、断面半円形状の溝が設けられており、これらの溝を合わせて形成される断面円形の収容孔４７内に外部導体１０が圧接状態で収容され、グランド板４４と外部導体との導通が確保されている。
【００４１】
ベースハウジング４８の平面及び前面を示す図９（ａ）及び（ｂ）ベースハウジング４８は絶縁性部材からなり、ケーブルアセンブリ４３の各同軸ケーブル５の中心導体８とそれぞれ接続される横並びに多数のコンタクト５４，５５を保持している。
図９（ａ）のＸ−Ｘ線に沿う断面図である図１０（ａ）及び図９（ａ）のＹ−Ｙ線に沿う断面図である図１０（ｂ）を参照して、一方のコンタクト５４は、上方に配置される短尺の固定片部５６と下方に配置される長尺の弾性片部５７によりフォーク状をなしており、コンタクト５４の後端下部には、基板の表面の導電性部材にはんだ付けされると共にベースハウジング５８の後下縁部を挟持するＬ字形形状のリード部５８が形成されている。弾性片部５７はベースハウジング４８の内下壁５９に形成された奥行き方向途中部まで延びるガイド溝６０に一部が収容され、保持されている。弾性片部５７は山形に形成されており、その頂部が同軸ケーブル５の中心導体８に押圧接触される。固定片部５６はベースハウジング４８の上部の固定孔６１に後方から挿入され、固定されている。
【００４２】
他方のコンタクト５５は、下方に配置される長尺の固定片部６２と上方に配置される短尺の弾性片部６３によりフォーク状をなしている。固定片部６２の前端部には、基板の表面の導電性部材にはんだ付けされると共にベースハウジング５８の前下縁部を挟持するＬ字形形状のリード部６４が形成されている。固定片部６２はベースハウジング４８の内下面５９に形成されベースハウジング４８の前端に達するガイド溝６５に一部が収容され保持されている。また、固定片部６２の後端部はベースハウジング４８の下部に形成された固定孔６６に前方から挿入され固定されている。
【００４３】
シェル５０は例えば板金成形された銅合金等からなり、ベースハウジング４８の上面及び側面を覆っている。シェル５０の側板部６７の前半部６８には、上述した係合突起５１が設けられている。また、側板部６７の前半部６８はベースハウジング４８の側面の凹部に対向しており、ベースハウジング４８との間に隙間を設けている。これにより、一対の側板部６７の前半部６８が互いに内側へ弾性変形できるようになっている。したがって、一対の側板部６７の前半部６８を指で挟持して両側から押圧することにより、カバーハウジング４９のシェル５２の係合突起５３と係合した係合突起５１の係合が解除され、容易にロックを解除できるようになっている。側板部６７の前半部６８によりロック解除手段が構成されている。
【００４４】
カバーハウジング４９の上面及び前面をそれぞれ示す図１１（ａ）及び（ｂ）、並びにケーブルアセンブリ４３を装着した状態のカバーハウジング４９の下面（内面）を示す図１２を参照して、カバーハウジング４９は絶縁性部材からなり、閉じ状態での上面及び側面、並びに下面の一部を上記のシェル５２により覆われている。シェル５２はカバーハウジング４９の上面（外面）を覆う上板部７５と、カバーハウジング４９の両側面を覆う側板部７６と、各側板部７６から延設されてカバーハウジング４９の下面の一部を覆う一対の下板部７７とを備えている。前述した係合突起５３は各側板部７６に設けられており、側方へ延びる第１の部分７８と、第１の部分７８に連続してシェル５２の側板部７６に平行に延びる第２の部分７９とを備えている（図１６参照）。第１の部分７９と側板部７６との間には、ベースハウジング４８側のシェル５０の側板６７の前半部６８を出入りさせるための十分な隙間Ｓが形成されている。
【００４５】
図１１（ｂ）、図１２及び図１３を参照して、カバーハウジング４９の下面６９（閉じ状態での下面である）には、ケーブルアセンブリ４３の保持シート４５を前方（基端側）から収容して保持するために前方に開放するシート保持孔７０と、露出する各中心導体８を下方から収容して保持するために下方（内面側）に開放して櫛状に配列された中心導体保持溝７１と、各被覆部９を下方（内面側）から収容して保持するために下方に開放する被覆部保持凹部７２と、グランド板４４を下方から収容して保持するために下方に開放するグランド板保持凹部７３と、各同軸ケーブル５の外郭を下方から収容して保持するために下方に開放するケーブル保持凹部７４とを、基端側からこの順で備えている。
【００４６】
次いで、図１３，図１４及び図１５を参照して、コネクタの組立手順について説明する。図１３に示すようにカバーハウジング４９を開放し且つシェル５２を取り外した状態で、まず、櫛状に配列された各中心導体保持溝７１に、同軸ケーブル５の対応する中心導体８を嵌め入れ、次いで、保持シート４５をシート保持孔７０に導入した後、被覆部９、グランド板４４及び同軸ケーブル５の外郭を、それぞれ対応する被覆部保持凹部７２、グランド板保持凹部７３及びケーブル保持凹部７４に嵌め入れる（図１４参照）。このとき前述したようにグランド板４４が弾性係止片８１と接触してグランド板４４とシェル５２とが導通される。
【００４７】
次いで、図１４及び図１５に示すように、シェル５２をカバーハウジング４９にカバーハウジング４９の先端側からスライドさせながら被せる。シェル５２を完全に被せると、前述した弾性係止片８２がカバーハウジング４９に形成された対応する凹部に係合し、シェル５２がカバーハウジング４９に係止される。これにより、ケーブルアセンブリ４３及びシェル５２の装着が完了する。
【００４８】
次いで、カバーハウジング４９を閉じると、図１７（ａ）及び（ｂ）に示すように、各同軸ケーブル５の中心導体８が、対応するコンタクト５４，５５の弾性片部５７，６３に直接、押圧接触されて、導通が確保され、信号伝達が可能となる。
なお、ケーブルアセンブリ４３を取り外す際には、上述した動作の逆の手順で容易に取り外すことができる。
【００４９】
本第２の実施の形態によれば、開放状態のカバーハウジング４９にケーブルアセンブリ４３の端部をセットした後、カバーハウジング４９を閉じることにより、同軸ケーブル５の中心導体８を、ベースハウジング４８のコンタクト４４，４５に押圧接触させる。
交換時に外部からロック手段としての係合突起５１，５３同士の係合を容易に解除できるので、ケーブルアセンブリ４３を容易に挿脱できる。
【００５０】
特に、カバーハウジング４９が開放されて両ハウジング４８，４９間で挟持力を働かせない状態で、ケーブルアセンブリ４３を装着するので、装着力が軽くて装着が非常にスムーズに行えると共に、中心導体８やグランド板４４が装着動作時に損傷したりすることがない。
また、従来のプラグの構成を省略してあるので、部品点数が少ない結果、部品コスト、組立コストの低減を通じて製造コストを安くできる。
【００５１】
また、ケーブルアセンブリ４３をカバーハウジング４９にセットする際、各中心導体８の先端をテープからなる簡易な保持シート４５で一まとめに保持してあるので、各中心導体８がばらばらにならず整列した状態で、対応する中心導体保持溝７１に収容することができる。
なお、本第２の実施の形態では、図１３〜図１５に示すようにカバーハウジング４９をベースハウジング４８に取り付けた状態で、カバーハウジング４９にケーブルアセンブリ４３の端部を装着するようにしたが、これに限らず、図１８に示す第３の実施の形態のように、ベースハウジング４８から完全に取り外された状態のカバーハウジング４９に、ケーブルアセンブリ４３の端部を装着するようにしても良い。この場合、ケーブルアセンブリ４３の装着作業が非常に行い易く、装着してシェル５２を取り付けた後は、ケーブルアセンブリ４３付きのカバーハウジング４８として一体に取り扱うことができ、取り扱い易い。
【００５２】
次いで、図１９〜図２２は本発明の第４の実施の形態を示している。これらの図を参照して、本第４の実施の形態が図７〜図１７に示した第２の実施の形態と主に異なるのは下記である。すなわち、第２の実施の形態では金属板からなるシェル５２を用いていたが、本第４の実施の形態では、カバーハウジング４９Ａのシェル５０Ａをカバーハウジング４９Ａの表面の一部に例えばＭＩＤ（Molded Interconnection Device ）技術を用いて形成された導電性の金属被膜１２０により構成してある。
【００５３】
また、第２の実施の形態では、シェル５２によってケーブルアセンブリ４３のグランド板４４をカバーハウジング４９に保持していたが、本第４の実施の形態では、カバーハウジング４９Ａの中心導体保持溝７１Ａの底部に例えばＭＩＤ（Molded Interconnection Device ）技術を用いて形成された導電性の金属被膜１２４に、ケーブルアセンブリ４３の各中心導体８をはんだ付けにより保持してある。
【００５４】
カバーハウジング４９Ａの平面図及び前面図である図１９（ａ）及び（ｂ）、並びにカバーハウジング４９Ａの下面図である図２０において、ハッチングを施してある部分がシェル５０Ａである。図２１（ａ）図１９（ａ）のＸ−Ｘ線に沿う断面図に相当する。これらの図を参照して、シェル５０Ａは、カバーハウジング４９Ａの上面全体を覆う上面部１２１と、カバーハウジング４９Ａの内面（下面）の前側部分を覆う下面部１２２と、これら上面部１２１及び下面部１２２の間に連続させる前面部１２３とを有している。下面部１２２はグランド板保持凹部７３Ａの略全域を覆っている。
【００５５】
また、中心導体保持溝７１Ａの底部１２５には、図２１（ａ）及び図２１（ａ）のＹ−Ｙ線に沿う断面図である図２２（ａ）に示すように、導電性の金属被膜１２４が形成されており、図２１（ｂ）及び図２１（ｂ）のＺ−Ｚ線に沿う断面図である図２２（ｂ）に示すように、ケーブルアセンブリ４３の各中心導体８が中心導体保持溝７１Ａの底部１２５の金属被膜１２４にはんだ付けにより固定されている。なお、第２の実施の形態と同様の構成については、同一符号の末尾に参照符号Ａを追加して示してある。
【００５６】
本態様では、同軸ケーブル５の各中心導体８が対応する中心導体保持溝７１Ａの底部１２５の金属被膜１２４にはんだ付けされているので、本コネクタの製造時において、カバーハウジング４９Ａが開放された仕掛かり状態で、中心導体８が中心導体保持溝７１Ａからずれたりすることがない。その結果、信頼性の高いコネクタを実現することができる。
【００５７】
上記の金属被膜１２０，１２４を形成する手法としてのＭＩＤ技術には、露光法やレーザ法等のワンショット法の他、ツーショット法があるが、本実施の形態では、中心導体保持溝７１Ａの配置ピッチが例えば０．４〜０．５ｍｍと非常に微細であるので、レーザ法が適している。レーザ法では、例えば導電性樹脂からなるカバーハウジング４９Ａを射出成形した後、メッキ不要箇所にマスキングを施し、レーザ光を用いて露光処理することでメッキが付かない部分を作り、このメッキがつかない部分を除いてメッキ工程でメッキ膜からなる金属被膜１２０，１２４を生成する。露光処理において、レーザ光は各中心導体保持溝７１Ａに沿って走査することになり、配置ピッチの細かい微細な部分を寸法精度良く露光することができる。このとき、レーザ光はカバーハウジング４９Ａの下面側から照射することになる。
【００５８】
なお、レーザ法に代えて、露光法やツーショット法を用いることも無論可能である。また、シェルは金属板により構成し、中心導体保持溝７１Ａの底部のみに金属被膜１２４を形成するようにしても良い。
また、上記の第４の実施の形態では、レーザ光はカバーハウジング４９Ａの下面側から照射していたが、これに限らず、カバーハウジング４９Ａの前面側又は後面側から中心導体保持溝７１Ａの長手方向に沿って照射することも可能である。ただし、この場合、第５の実施の形態としての図２３に示すように、中心導体保持溝７１Ａの底部１２６は、レーザ光Ｌが照射される前側（又は後側）に向かって開いた面になるように傾斜していることが必要となる。この場合、レーザ光を走査することなく、底部１２５を露光することができるので、より寸法精度良く露光処理することが可能となる。
【００５９】
次いで、図２４ないし図２９を参照して、本発明の第６の実施の形態の多極同軸コネクタについて説明する。本第６の実施の形態が第２の実施の形態と主に異なるのは、下記の１）および２）である。すなわち、
１）第２の実施の形態のケーブルアセンブリ４３では、同軸ケーブル５の先端部を保持する保持シート４５を採用していたが、本第３の実施の形態のケーブルアセンブリ８６では、これを廃止した点が異なる。従って、本第３の実施の形態のケーブルアセンブリ８６では、図２４に示すように各同軸ケーブル５の露出する中心導体８がフリーになっている。
２）図２８（ａ）及び（ｂ）に示すように、カバーハウジング８７をベースハウジング８８に対して着脱自在とし、取り外し状態のカバーハウジング８７の先端部に開口する挿入孔８９へ、ケーブルアセンブリ８６の端部を挿入してセットした後、カバーハウジング８７をベースハウジング８８に装着するようにしている。挿入孔８９は、ケーブルアセンブリ８６のグランド板４４を収容保持するためのグランド板収容部１１８と、各同軸ケーブル５の中心導体８を被覆部９と共にそれぞれ収容保持する中心導体保持部１１９とを含んでいる。中心導体保持部１１９は、櫛状に配置されており、奥部を除いて下方に開放している。中心導体８の先端はこの奥部にまで達する。また、上記下方に開放する部分を通して、下方からベースハウジング８８側のコンタクト９０（９１）が中心導体保持部１１９内に侵入し、中心導体８と弾性的に直接接触するようになっている。中心導体保持部１１９は上記下方に開放する部分に対応して中心導体保持溝を構成している。
【００６０】
両ハウジング８７，８８の組合せ状態の平面及び前面を示す図２５（ａ）及び（ｂ）を参照して、まず、ベースハウジング８８は絶縁性部材からなり、横並びに多数のコンタクト９０，９１を保持している。
図２５（ａ）のＸ−Ｘ線に沿う断面図である図２６（ａ）を参照して、一方のコンタクト９０の後半部は、下部の固定片部９２と上部の弾性片部９３とでフォーク状をなしており、コンタクト９０の前下端部には、逆Ｔ字状をなすリード部９４が形成されている。固定片部９２は、ベースハウジング８８の下部壁９５の中間部に形成された固定孔９６に、ベースハウジング８８の前方から挿入され固定されている。コンタクト９０は弾性片部９３の頂部を含む一部を除いて残りの部分が、ベースハウジング８８の下部壁９５の上面に形成され櫛状に配列されたガイド溝１０１によって保持されている。
【００６１】
図２５（ａ）のＹ−Ｙ線に沿う断面図である図２６（ｂ）を参照して、他方のコンタクト９１は、ベースハウジング８８の後部に形成された固定孔９７に後方から挿入されて固定される固定主体部９８と、固定主体部９８から前部下端から前斜め上方へ延びる略Ｔ字形形状をなす弾性片部９９と、固定主体部９８の後部下端に形成されたＬ字形形状のリード部１００とを備えている。弾性片部９９は頂部を除く残りの部分が、ベースハウジング８８の下部壁９５の上面に形成されたガイド溝１０２によって保持されている。
【００６２】
ベースハウジング８８の上面及び側面は金属製のシェル１０３によって覆われている。シェル１０３は図２５（ａ）に示す平面視で、略コの字形形状をなしており、ベースハウジング８８の上面を覆う上板部１１５を備えている。上板部１１５の両側部からは前方へ向けて延設部１１６が延びている。各延設部１１６の外縁からは下方に延びる側板部１０４が延設されている。
【００６３】
各側板部１０４には、側方へ突出し、後述するカバーハウジング８７のシェル１０７の係合凹部１１４に係合する弾性変形可能な係合突起１０５が設けられている。また側板部１０４の下端縁には、係合突起１０５の下方で基板の表面に平行に延びる脚部１０６が設けられている。各延設部１１６の前端部１１７は、自由端となっており、これらの前端部１１７を両側から指で挟んで内側へ押すことにより、延設部１１６及び側板部１０４が弾性変形し、係合突起１０５の係合凹部１１４に対する係合が外れるようになっている。すなわち、延設部１１６の前端部１１７がロック解除手段を構成している。
【００６４】
カバーハウジング８７の上面及び側面は金属製のシェル１０７によって覆われている。シェル１０７はカバーハウジング８７の上面を覆う上板部１０８を備えている。この上板部１０８の前端両側部には、カバーハウジング８７の前面に沿う前板部１０９が延設され、これらの前板部１０９を介して上記の上板部１０８と下板部１１０が連結されている。
【００６５】
また、上板部１０８は、各前板部１０９に隣接して、周囲がコの字形形状に切り欠かれた弾性舌片１１１を形成している。これらの弾性舌片１１１は、カバーハウジング８７の挿入孔８９内へ突出する山形形状を呈している。弾性舌片１１１は、図２８（ａ）及び（ｂ）に示すようにして、挿入孔８９に挿入されるケーブルアセンブリ８６のグランド板４４を、シェル１０７の下板部１１０との間に挟持し、グランド板４４を下板部１１０側へ弾力的に押圧する働きをする。これにより、グランド板４４とシェル１０７との電気的導通が確保される。
【００６６】
シェル１０７の上板部１０８は両側方へ延びる一対の延設部１１２を有しており、各延設部１１２の外縁には下方へ延びる側板部１１３が延設されている。各側板部１１３は、カバーハウジング８７の閉じ状態で、図２５（ａ）及び（ｂ）並びに図２７に示すように、ベースハウジング８８側のシェル１０３の側板部１０４に被せられ、上述した係合突起１０５が側板部１１３に形成された係合凹部１１４に係合するようになっている。係合突起１０５と係合凹部１１４との係合により両シェル１０３，１０７の電気的導通が確保される。
【００６７】
本実施の形態によれば、図２８（ａ）に示すようにベースハウジング８８から取り外されたカバーハウジング８７の挿入孔８９にケーブルアセンブリ８６の端部を挿入し、各中心導体８を中心導体保持部１１９に収容し、グランド板４４をグランド板収容部１１８に収容する。次いで、カバーハウジング８７をベースハウジング８８側に斜めに装着した後、カバーハウジング８７を閉じると、図２９（ａ）及び（ｂ）に示すように、各中心導体８が対応するコンタクト９０，９１に押圧接触される。また、両ハウジング８７，８８のシェル１０３，１０７同士が係合突起１０５と係合凹部１１４との係合により、互いに連結されてロックが達成されると共に、シェル１０３，１０７同士の電気的導通が確保される。
【００６８】
本第６の実施の形態においても、交換時にシェル１０３の延設部１１６の前端部１１７を操作して、外部からロックを容易に解除できるので、ケーブルアセンブリ８６を容易に挿脱できる。特に、両ハウジング８７，８８間で挟持力を働かせない状態でケーブルアセンブリ８６を挿脱するので、挿脱力が軽くて挿脱が非常にスムーズであり、中心導体８やグランド板４４が挿脱時に損傷したりすることもない。部品点数が少ないので、部品コスト、組立コストの低減を通じて製造コストを安くできる。
【００６９】
なお、本発明は上記各実施の形態に限定されるものではなく、第２、第３、第４及び第５の実施の形態において、保持シート４５を廃止することの可能である。また、第６の実施の形態において、中心導体保持部１１９において、下方に開放する溝の底部にＭＩＤ技術により金属被膜を形成し、この金属被膜に中心導体８をはんだ付けして保持するようにしても良い。また、各実施の形態において、ベースハウジング及びカバーハウジングの少なくとも一方のシェルをＭＩＤ技術を用いた金属被膜により構成することが可能である。その他、本発明の範囲で種々の変更を施すことができる。
【００７２】
【発明の効果】
請求項１記載の発明では、従来技術で示したようなプラグにあたる部品の構成を省略したので、部品点数が少なく、部品コスト、組立コストの低減を通じて製造コストを安くすることができる。また、開放状態のカバーハウジングにケーブルアセンブリを装着する際に、両ハウジング間で挟持力を働かせない状態でケーブルアセンブリを装着するので、装着力が軽くて装着が非常にスムーズに行えると共に、中心導体等が装着動作時に損傷したりすることがない。
【００７３】
また、ケーブルアセンブリを装着したカバーハウジングを閉じると、中心導体がベースハウジングのコンタクトに押圧されて接続されると共に、グランド板が何れか一方のハウジングのシェルに押圧されて接続される。ベースハウジング側からの押圧力を受けない状態でケーブルアセンブリの端部を装着するので、装着時に、中心導体やグランド板が損傷しない。また、開放されたカバーハウジングの挿入孔にケーブルアセンブリを挿入することにより、ケーブルアセンブリを容易に装着することができる。
【００７４】
請求項２記載の発明では、従来技術で示したようなプラグにあたる部品の構成を省略したので、部品点数が少なく、部品コスト、組立コストの低減を通じて製造コストを安くすることができる。また、開放状態のカバーハウジングにケーブルアセンブリを装着する際に、両ハウジング間で挟持力を働かせない状態でケーブルアセンブリを装着するので、装着力が軽くて装着が非常にスムーズに行えると共に、中心導体等が装着動作時に損傷したりすることがない。また、ベースハウジング側からの押圧力を受けない状態でケーブルアセンブリの端部を装着するので、装着時に、中心導体やグランド板が損傷しない。また、開放されたカバーハウジングの内面の凹部に内面側からケーブルアセンブリの端部を嵌め込むことにより、ケーブルアセンブリを容易に装着することができる。
【００７５】
また、本コネクタの製造時において、カバーハウジングが開放された仕掛かり状態で、例えば中心導体が正規の位置からずれたりすることを抑制できる。その結果、信頼性の高いコネクタを実現することができる。
また、同軸ケーブルの各中心導体が、対応する保持溝の底部に例えばＭＩＤ技術を用いて形成された金属被膜にはんだ付けされているので、本コネクタの製造時において、カバーハウジングが開放された仕掛かり状態で、中心導体が保持溝からずれたりすることがない。その結果、信頼性の高いコネクタを実現することができる。
【図面の簡単な説明】
【図１】本発明の第１の実施の形態の多極同軸コネクタの分解断面図である。
【図２】第１の実施の形態の多極同軸コネクタの組立断面図である。
【図３】（ａ）及び（ｂ）はそれぞれ第１の実施の形態におけるケーブルアセンブリの平面図および側面図である。
【図４】（ａ）及び（ｂ）はそれぞれ第１の実施の形態においてケーブルアセンブリを装着しない状態の多極同軸コネクタの平面図及び前面図である。
【図５】第１の実施の形態においてシェル同士が連結される直前の状態を示す概略斜視図である。
【図６】第１の実施の形態においてシェル同士が互いに連結された状態を示す多極同軸コネクタの側面図である。
【図７】本発明の第２の実施の形態の多極同軸コネクタの側面図であり、カバーハウジングが開放された状態を示している。
【図８】（ａ）及び（ｂ）はそれぞれ第２の実施の形態におけるケーブルアセンブリの平面図および側面図である。
【図９】（ａ）及び（ｂ）はそれぞれ第２の実施の形態のベースハウジングの平面図及び前面図である。
【図１０】（ａ）及び（ｂ）はそれぞれ図９（ａ）のＸ−Ｘ線に沿う断面図及びＹ−Ｙ線に沿う断面図である。
【図１１】（ａ）及び（ｂ）はそれぞれ第２の実施の形態のカバーハウジングの平面図及び前面図である。
【図１２】第２の実施の形態のケーブルアセンブリを装着した状態のカバーハウジングの下面図である。
【図１３】第２の実施の形態のケーブルアセンブリをカバーハウジングに装着する工程を示す多極同軸コネクタの一部破断側面図である。
【図１４】第２の実施の形態のカバーハウジングにシェルを装着する工程を示す多極同軸コネクタの一部破断側面図である。
【図１５】第２の実施の形態のカバーハウジングへのシェルの装着が完了した状態を示す多極同軸コネクタの一部破断側面図である。
【図１６】第２の実施の形態においてシェル同士が係合する部分を示す要部斜視図である。
【図１７】（ａ）及び（ｂ）はそれぞれ第２の実施の形態においてカバーハウジングが閉じられた状態を各コンタクトに対応して示す多極同軸コネクタの断面図である。
【図１８】第２の実施の形態の変更例としての第３の実施の形態のカバーハウジングにケーブルアセンブリの端部を装着する工程を示す概略断面図である。
【図１９】（ａ）及び（ｂ）はそれぞれ第４の実施の形態のカバーハウジングの平面部及び前面図である。
【図２０】第４の実施の形態のカバーハウジングの下面図である。
【図２１】（ａ）は図１９（ａ）のＸ−Ｘ線に沿う断面図であり、（ｂ）はカバーハウジングにケーブルアセンブリの端部が装着された状態を示すカバーハウジングの断面図である。
【図２２】（ａ）は図２１（ａ）のＹ−Ｙ線に沿う断面図であり、（ｂ）は図２１（ｂ）のＺ−Ｚ線に沿う断面図である。
【図２３】第４の実施の形態の変更例としての第５の実施の形態のカバーハウジングの中心導体保持溝の底部をレーザ光で露光処理する工程を示しカバーハウジングの概略断面図である。
【図２４】（ａ）及び（ｂ）はそれぞれ第６の実施の形態におけるケーブルアセンブリの平面図および側面図である。
【図２５】第６の実施の形態においてケーブルアセンブリを装着しない状態の多極同軸コネクタの平面図及び前面図である。
【図２６】（ａ）及び（ｂ）はそれぞれ図２５（ａ）及び（ｂ）のＸ−Ｘ線に沿う断面図及びＹ−Ｙ線に沿う断面図である。
【図２７】第６の実施の形態においてシェル同士が互いに係合した状態を示す多極同軸コネクタの側面図である。
【図２８】（ａ）は第６の実施の形態において、カバーハウジングにケーブルアセンブリの端部を装着する工程を示す一部破断分解側面図であり、（ｂ）はケーブルアセンブリの端部を装着したカバーハウジングをベースハウジングに装着する工程を示す一部破断分解斜視図である。
【図２９】（ａ）及び（ｂ）はそれぞれ第６の実施の形態においてカバーハウジングが閉じられた状態を各コンタクトに対応して示す多極同軸コネクタの断面図である。
【図３０】従来の多極同軸コネクタの概略分解斜視図である。
【符号の説明】
２    ベースハウジング
３    開放部
４    カバーハウジング
５    同軸ケーブル
６    ケーブルアセンブリ
７    板材
８    中心導体
９    被覆部
１０  外部導体
１１  第１の導電性部材
１２  第２の導電性部材
１６  コンタクト
２２  シェル
２９  係合孔（ロック手段）
３４  シェル
３６  係合突起（ロック手段）
３７  解除操作部（ロック解除手段）
４３  ケーブルアセンブリ
４４  グランド板
４５  保持シート
４８  ベースハウジング
４９，４９Ａ  カバーハウジング
５０  シェル
５１，５３  係合突起（ロック手段）
５２，５２Ａ  シェル
５４，５５  コンクタト
６８  前半部（ロック解除手段）
７０，７０Ａ  シート保持孔
７１，７１Ａ  中心導体保持溝
７２，７２Ａ  被覆部保持凹部
７３，７３Ａ  グランド板保持凹部
７４，７４Ａ  ケーブル保持凹部
８１，８２  弾性係止片
８６  ケーブルアセンブリ
８７  カバーハウジング
８８  ベースハウジング
８９  挿入孔
９０，９１  コンタクト
１０３  シェル
１０５  係合突起
１０７  シェル
１１４  係合凹部
１１６  延設部
１１７  前端部（ロック解除手段）
１１８  グランド板収容部
１１９  中心導体保持部
１２０，１２４  金属被膜
１２５，１２６  底部
【図１】
0004152019.tif 000002
【図２】
0004152019.tif 000003
【図３】
0004152019.tif 000004
【図４】
0004152019.tif 000005
【図５】
0004152019.tif 000006
【図６】
0004152019.tif 000007
【図７】
0004152019.tif 000008
【図８】
0004152019.tif 000009
【図９】
0004152019.tif 000010
【図１０】
0004152019.tif 000011
【図１１】
0004152019.tif 000012
【図１２】
0004152019.tif 000013
【図１３】
0004152019.tif 000014
【図１４】
0004152019.tif 000015
【図１５】
0004152019.tif 000016
【図１６】
0004152019.tif 000017
【図１７】
0004152019.tif 000018
【図１８】
0004152019.tif 000019
【図１９】
0004152019.tif 000020
【図２０】
0004152019.tif 000021
【図２１】
0004152019.tif 000022
【図２２】
0004152019.tif 000023
【図２３】
0004152019.tif 000024
【図２４】
0004152019.tif 000025
【図２５】
0004152019.tif 000026
【図２６】
0004152019.tif 000027
【図２７】
0004152019.tif 000028
【図２８】
0004152019.tif 000029
【図２９】
0004152019.tif 000030
【図３０】
0004152019.tif 000031